【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
各々、遠位端、近位端、内面、外面、中心線、および同一形状の外周縁を有する第１および第２のほぼ平坦なプレートと、
前記プレート間に配置され、前記近位端に隣接した吸引接続管であって、真空接続端と唾液入口端とを有する吸引接続管と、
前記平坦なプレートが結合され、離間した、平行な鏡像構成に配置されたとき、前記プレート間に一連の隣接した唾液フローチャネルを形成するように前記内面上で一連のエンボスにより前記第１および第２のプレートの間に形成された開放周縁部と
を備えた唾液排出器。
【請求項２】
前記平坦なプレートはヒンジ接続され、前記真空接続端と前記唾液入口端とは前記第１および第２のプレートの前記近位端から前記プレートの中心線に沿って延在する請求項１に記載の唾液排出器。
【請求項３】
前記プレートの前記近位端間で作動可能に接続されたヒンジをさらに備え、前記第１のプレートは前記第２のプレートより小さく、前記プレートの周縁部に段差を生ぜしめる請求項１に記載の唾液排出器。
【請求項４】
前記プレートは卵形である請求項２に記載の唾液排出器。
【請求項５】
前記第１のプレートの遠位端から延在する第１の隆起パッドであって、前記第１のパッドはその上に形成された係合可能なトラフを有する第１の隆起パッドと、
前記第２のプレートの前記遠位端から延在する第２の隆起パッドであって、前記第２のパッドはその上に形成された係合可能なタブを有し、前記係合可能なタブは前記係合可能なトラフと係合するよう構成された第２の隆起パッドと
を備えた請求項１に記載の唾液排出器。
【請求項６】
前記係合可能なタブおよび前記係合可能なトラフがダブテール構成を有する請求項５に記載の唾液排出器。
【請求項７】
前記内面上に形成された開放トラフをさらに備え、前記トラフは前記組み立てられた唾液排出器の前記吸引接続管の前記唾液入口端と摩擦係合する大きさに形成されている請求項５に記載の唾液排出器。
【請求項８】
前記エンボスは一連の湾曲したリブを含み、前記リブは前記プレートの前記内面上に第１の高さだけ延出している請求項７に記載の唾液排出器。
【請求項９】
前記湾曲したリブは、前記開放トラフと前記外周縁との間に延在する請求項８に記載の唾液排出器。
【請求項１０】
前記組み立てられた唾液排出器内の隣接するリブの間に一連の唾液フローチャネルが形成され、前記チャネルは、前記開放トラフと前記外周縁との間に存在する請求項９に記載の唾液排出器。
【請求項１１】
前記プレートは、前記エンボスを間に挟んで離間した平行な構成で保持されている請求項１に記載の唾液排出器。
【請求項１２】
唾液排出器であって、
各々、遠位端、近位端、内面および外面、ならびに同一形状の外周縁を有する第１のリーフ形状の内側プレートと第２のリーフ形状の頬プレートと、
その両側に垂直に伸びた１対のガセットプレートを有する吸引接続管であって、前記吸引接続管は真空接続端と唾液入口端とを有し、前記第１のリーフ形状プレートの前記近位端は前記ガセットプレートの第１の側にヒンジ固定され、前記第１のリーフ形状プレートは前記ガセットプレートの第２の側にヒンジ固定される吸引接続管と、
前記内面上に形成されたパターン状に隆起したリブであって、前記第１のリーフ形状プレート上のリブの前記パターンと前記第２のリーフ形状プレート上のリブの前記パターンとは同一のパターンではないリブと、
前記プレートの直線状の中心線に沿って形成された溝であって、前記溝は前記吸引接続管の前記唾液入口端を受容するように寸法決めされた溝と、
前記第１のプレート上に形成された第１のパッドであって、前記第２のプレート上に形成された係合可能なタブと接合係合（mating engagement）するように構成された係合可能なトラフを有する第１のパッドとを備え、
前記唾液排出器は、前記第１のプレートと前記第２のプレートとを前記ガセットプレートの周りに折りたたんで前記プレートを平行かつ離間した構成にすることにより組み立てることができ、隣接したリブの間に一連の開放チャネルが形成され、前記チャネルは前記外周縁の周りに等間隔に配置された唾液排出器。
【請求項１３】
前記第１のリーフ形状プレートは、前記第２のリーフ形状プレートよりも小さい請求項１２に記載の唾液排出器。
【手続補正２】
【補正対象書類名】明細書
【補正対象項目名】００２９
【補正方法】変更
【補正の内容】
【００２９】
２つのリーフ形状プレートの近位端は、円形接続管２６の両側に１８０度離れている１対の三角形のガセット支持体（gusset supports）２４（図５，６，７，８，９）上で互いにヒンジ結合されている。ガセット支持体２４は、一体化された切欠き部２２によって形成された空隙の軸方向中心線から垂直に延びている。換言すれば、ガセット支持体２４は、各プレートの近位端に沿って形成されている。これは、組み立て前の装置の軸方向中心線でもある。ガセット支持体２４の各々の平面は、組み立て前の唾液排出器２の場合に、プレートの平面に対して垂直に位置する。装置が組み立てられる際、それらの平面は互いに平行となるが、同一線上（collinear）ではなく、２つのプレートの直線軸は、全３平面内で（in all three planes）平行となる。ガセット支持体２４の厚さは、リブの高さに近似している。プレートは、ガセット支持体２４の両側に取り付けられる。
【手続補正３】
【補正対象書類名】明細書
【補正対象項目名】００３０
【補正方法】変更
【補正の内容】
【００３０】
第２の頬プレート６には、図１，２，３，４，８に示されるように、プレートの遠位端における隆起パッド１３に隣接して吸引オリフィス５０が形成されている。この吸引オリフィス５０は、当該プレートに形成されたトラフ１８の端部と一致している。唾液排出器２が吸引装置に接続され、患者の口内の頬粘膜に沿って適切に配置されると、唾液排出器２の第１の内側プレート４の内面は、患者の口の正中線に対向する 。このようにして、第２の頬プレート６上のパッド１３の吸引オリフィス５０またはスロットのいずれかを介して、装置の近位端で常時吸引が行われる。このことは重要である。なぜなら、装置の遠位端の先端は、患者の口の唾液溜まりが存在する点であるからである。
【手続補正４】
【補正対象書類名】明細書
【補正対象項目名】００３３
【補正方法】変更
【補正の内容】
【００３３】
唾液排出器２が組み立てられると(図２)、頬プレート６はその周縁部において内側プレート４に重なる。接続管２６の唾液入口端部３０は、切欠き２２内に部分的に位置するとともに、第１および第２のプレートの内面間のテーパ状溝内に部分的に位置する。真空接続端部２８は、装置の近位端の直線状中心線から延出する。唾液入口端部は、開放テーパ状溝内に摩擦嵌合（frictional fit）のために接合する。接続管および２つのプレートは全て可撓性ポリマーで構成されているので、装置に吸引が適用されると、これらの構成要素は、より精密な公差内で互いに引き合う。
【手続補正５】
【補正対象書類名】明細書
【補正対象項目名】００３４
【補正方法】変更
【補正の内容】
【００３４】
リブ１２は、プレートの内面上で、それぞれのプレートの周縁部から開放テーパ状トラフ１８に向かって弧状に形成されている。弧状リブ１２は、２つの異なるプレート上で同一のパターン状には配置されない。むしろ、２つのプレートのリブは、共生的な（symbiotic）パターンに配置される。すなわち、装置が組み立てられ、２つのプレートがガセット支持部２４周りに（その内面が互いに対向するように）内側に折り畳まれて、間隙を保って平行（図３）に位置すると、一連の隣接する弧状フローチャネル（流路）４２が装置の周縁部１６からトラフ１８へ向けて形成される。これらの弧状チャネル４２は、（リブ端部４４のように）組み立てられた唾液排出器２の周縁部４０の周りにほぼ等間隔に配置されている。これにより、唾液排出器２の本体内の２つのプレート４，６は、リブの高さ分だけ、（その内面は、真空によって互いに接触するように引き合って)潰れることのないように支持される。唾液排出器２の遠位端は、隆起パッド１３によって崩壊から防止される。これにより、装置は、チャネルからトラフ１８の中へ唾液および残屑を常時引き込んで接続管２６から排出できることが確実となる。
【手続補正６】
【補正対象書類名】明細書
【補正対象項目名】００３８
【補正方法】変更
【補正の内容】
【００３８】
唾液排出システムに接続された唾液排出器２が内頬に沿って患者の口に挿入され真空が始動されると、患者の口の唾液や残屑が弧状のチャネル４２を介して装置２の周縁部１６からトラフ１８内へ吸引され、さらに、接続管２６を介して唾液排出システムの残りの部分へと吸引される。２つのプレートのうち大きい方の第２の頬プレート６は、患者の頬に寄り掛かって位置し、プレートの周縁部に段差（step  down）があるので、生成された真空は、吸引により、複数のチャネルに亘って唾液排出器の周縁部に患者の頬を接触させることがなく、それによって唾液の流れを阻止することがない。 
【手続補正７】
【補正対象書類名】図面
【補正対象項目名】図８
【補正方法】変更
【補正の内容】
【図８】
2018536525.tif 000001